(57)【要約】【課題】桟を枠組みして構成した枠体内にはペーパーコアなどの充填材を充填し、そして両面には表面材を貼着したドアであって、該ドアに重量感を与えることで意匠的に高級感をもたらし、又出入口に隙間なく取付け出来るように現場で幅寸法の調整が出来るようにしたドア構造の提供。【解決手段】表面材は外観形態が異なる複数枚で構成し、各表面材２，３，４の縁は互いに重なり合って隙間を生じないように繋ぎ合わせ、さらに側端には嵌合溝１３を設けてＴ型断面の木口材１１の嵌合片１２を嵌めて取付けている。【選択図】　　　　図５
2004036349.tif 000002
【特許請求の範囲】
【請求項１】
桟を枠組みして構成した枠体内にはペーパーコアなどの充填材を充填し、そして両面には表面材を貼着したドアにおいて、該表面材は外観形態が異なる複数枚で構成され、各表面材の縁は互いに重なり合って隙間を生じないように繋ぎ合わされ、さらに側端には木口材を取付けたことを特徴とするドア構造。
【請求項２】
桟を枠組みして構成した枠体内にはペーパーコアなどの充填材を充填し、そして両面には表面材を貼着したドアにおいて、中央に幅広の表面材を貼着し、その両側には外観形態が異なる複数枚の表面材を貼り合わせ、各表面材の縁は互いに重なり合って隙間を生じないように繋ぎ合わされ、さらに側端には概略Ｔ型断面の木口材を嵌合溝に嵌めて取付けたことを特徴とするドア構造。
【請求項３】
上記表面材の内少なくとも１枚を凹凸面とした請求項１、又は請求項２記載のドア構造。
【発明の詳細な説明】
【０００１】
【発明の属する技術分野】
本発明はドアの構造に関するものであり、ここでドアとは蝶番等のヒンジを介して開閉する開き戸、及びレールに沿ってスライドする引き戸を対象とする。
【０００２】
【従来の技術】
図６（ａ）は従来のドアを示している正面図であり、（ｂ）は同図（ａ）のＡ−Ａ断面拡大図を示している。ドアは縦桟と上下桟を枠組した枠体の両面に表面材を貼り付けて構成され、中央にはガラス窓が設けられ、ガラス窓（イ）の周囲に取付けた窓枠（ロ）にガラス板（ハ）が嵌められている。そして、上記枠体を構成する縦桟（ニ）、及び上下桟はベニヤ板を積層・固着したものを細く切断して製作され、また表面材（ホ）はベニヤ板の表面に化粧紙が貼られている。
【０００３】
そしてドアの木口には木口テープ（ヘ）が貼着されていて、木口テープ（ヘ）は縦桟（ニ）が露出しないように被覆している。この木口テープ（ヘ）は薄い紙製であったり、又は薄い樹脂製であったりするが、木口に貼着した木口テープ（ヘ）は剥がれ易く、特に表面材（ホ）との境界から捲れるケースが多い。
【０００４】
一方、枠体に表面材（ホ）、（ホ）を貼り合わせることで、ドアは平坦な一面として構成されることになり、ベニヤ板の積層材を裁断して成る桟を骨組みとして用いているが、該表面材（ホ）、（ホ）により枠体は被覆されてしまい、ドアの重量感は感じ取れない。一般家具と同じように、表面上の装飾よりも外観から感じ取る重量感は重要であり、この重量感からドアの高級感も得られる。
【０００５】
さらに、ドアの幅寸法は取付ける際に間口幅に合わせて調整することが必要となる。すなわち、出入口の間口幅は小さ過ぎてドアの取付けが出来なくなったり、逆に間口幅が大き過ぎて取付けたドアとの間に隙間が生じたりする。しかし図６に示すような従来のドア構造では間口幅に合わせてドアの幅寸法を現場調整することが出来ない。
【０００６】
【発明が解決しようとする課題】
このように従来のドアには上記のごとき問題がある。本発明が解決しようとする課題はこの問題点であり、ドアに重量感を与えることで意匠的に高級感を感じさせ、又出入口に隙間なく取付け出来るように現場で幅寸法の調整が出来るようにしたドア構造を提供する。
【０００７】
【課題を解決する為の手段】
本発明に係るドア構造は、縦桟と横桟を枠組みした枠体の内部に充填材を充填し、そして両面には表面材を貼り合せ、両側端には木口材を取付けて構成したものである。該木口材は断面Ｔ型をした長尺材であってドア側端をカバーすることが出来、ドアの木口となる両縦桟には嵌合溝を形成して該溝に木口材の嵌合片が嵌合して取着される。
【０００８】
そして、上記充填材が充填された枠体の表面に貼着される表面材は、複数形態の板材で構成され、各表面材は一部重なり合って隙間なく貼り合わされる。従って連続した１枚の表面材に比較して色々な外観のドアが製作されると共に外観は向上し、重量感のあるドアを構成できる。以下、本発明に係る実施例を図面に基づいて詳細に説明する。
【０００９】
【実施例】
図１は本発明に係るドアの正面図であり、該ドアは縦横寸法が所定の大きさをした長方形板であり、部屋の出入口に蝶番等の継手を介して開閉可能に取付けられ、そして、開閉操作を容易にする為に、先端部には持ち手１を備えている。ところで、同図に示すドアは前記図６に示しているようなガラス窓（イ）を備えていないが、表面材は片面側５枚が貼着されている。
【００１０】
すなわち、持ち手側から表面材２、３，４，３，２が貼り合わされ、各表面材２，３，４…間には隙間が生じないように一部重ね合わされている。本発明のドアにも中央にガラス窓を設けることは自由であるが、各表面材２，３，４…は共にその外観・形態を異にしている為に、表面材として１枚板を貼り合わせたドアの外観に比較してその意匠性は高く、ドアの重量感が得られる。
【００１１】
図２は表面材２を示している。該表面材２は一定厚さの細長い長尺材であって、右側端には段差５が全長に渡って形成され、その為に厚さは薄くなっている。図３は別の表面材３を示しているが、一定幅の長尺材であり、表面には凹部６と凸部７を一定間隔で繰り返し、長手方向に形成されている。すなわち、平坦面ではなく凹凸面を形成し、そして両側端には段差８，８が全長に渡って設けられている。
【００１２】
図４は表面材４を示しているが、該表面材４も一定厚さＴを有し、一定幅から成る幅広の長尺材である。そして表面材２の側端に形成される段差５の厚さはＴであって、又表面材３の両側端に設けている段差８，８の厚さもＴと成っていて、各表面材２，３，４は該段差５，８が互いに重なり合って繋がれる。
【００１３】
図５は本発明に係るドアの横断面を示している。ドアの枠体は縦桟９，９と横桟（図示なし）が互いに枠組みされて構成され、該枠体内には充填材としてペーパーコア１０が充填されている。そして両面には表面材２，３，４…が貼着され、表面材２の側端に形成している段差５と表面材３の段差８が互いに重なり合って繋がれている。又、表面材３の側端に形成している段差８には表面材４の側端が互いに重なり合って繋がれ、各表面材２，３，４間には隙間が生じないようにしている。
【００１４】
そして、ドアの外側端には木口材１１が取付けられているが、該木口材１１はＴ型断面を成し、嵌合片１２を有している。この嵌合片１２は縦桟９に設けている嵌合溝１３に嵌合し、嵌合片１２の先端部表面に形成している歯形が嵌合溝１３の内側面に係止して外れないように止着され、該木口材１１はドアの側端をカバーしている。
【００１５】
ところで、上記木口材１１はドアを出入口に装着される際に現場で取付けられるが、出入口の幅に合うようにドア側端面１４が切削される。切削・調整して所定の幅寸法に成ったところで木口材１１が嵌合溝１３に嵌合片１２が嵌って取付けられる。
【００１６】
以上述べたように、本発明に係るドア構造は枠体内には充填材を充填し、両面には複数枚の表面材を貼り合わせ、そして側端には木口材を取付けたものであり、次のような効果を得ることが出来る。
【００１７】
【発明の効果】
本発明のドアは桟を枠組みした枠体に表面材を貼着しているが、該表面材は連続した大きな１枚板でなく、複数枚の表面材が互いに繋ぎ合わされている。そして各表面材の外観形態は異なっている為に、これら表面材を適当に組合せることで色々な外観を呈すドアが簡単に製作出来、しかもドアの意匠は向上し、表面が凹凸化した表面材を使用することでドアの重量感を得ることが出来、その結果、ドアとしての高級感が醸し出される。
【００１８】
一方、本発明のドア側端には概略Ｔ型断面の木口材が取付けられるが、出入口の幅寸法に合わせてせドア側端を切削することが出来るように成っている。そして所定の幅寸法に成ったところで嵌合溝に嵌合片を嵌めて木口材を取付け出来る。
【図面の簡単な説明】
【図１】本発明に係るドアの正面図。
【図２】ドア表面に貼着される表面材。
【図３】ドア表面に貼着される表面材。
【図４】ドア表面に貼着される表面材。
【図５】ドアの横断面図。
【図６】従来のドア構造。
【符号の説明】
１　持ち手
２　表面材
３　表面材
４　表面材
５　段差
６　凹部
７　凸部
８　段差
９　縦桟
１０　ペーパーコア
１１　木口材
１２　嵌合片
１３　嵌合溝
１４　側端面
【図１】
2004036349.tif 000003
【図２】
2004036349.tif 000004
【図３】
2004036349.tif 000005
【図４】
2004036349.tif 000006
【図５】
2004036349.tif 000007
【図６】
2004036349.tif 000008